(57)【要約】  空調給湯複合システム１００は、少なくとも１台の室内ユニット１３０と少なくとも１台の給湯ユニット１４０が運転している状態において室内ユニット１３０及び給湯ユニット１４０の少なくとも１台から運転許可要求があったときであって、運転許可要求があった室内ユニット１３０及び給湯ユニット１４０の少なくとも１台を追加運転すると熱源ユニット１１０の容量を超えてしまうとき、熱源ユニット１１０の運転容量許容内に入るまで、所定の条件を満たした運転中の室内ユニット１３０を停止させ、追加要求のあった給湯ユニット１４０に前記熱源ユニットの能力を分配する。
2013046269.tif 000002
【特許請求の範囲】
【請求項１】
圧縮機及び熱交換器が搭載された少なくとも１台の熱源ユニットと、
室内側熱交換器及び室内側絞り装置が搭載された少なくとも１台の室内ユニットと、
冷媒−水熱交換器及び給湯側絞り装置が搭載された少なくとも１台の給湯ユニットと、
前記室内ユニットと前記給湯ユニットとを前記熱源ユニットに対して並列接続させる分岐ユニットと、
を備え、
少なくとも１台の前記室内ユニットと少なくとも１台の前記給湯ユニットが運転している状態において前記給湯ユニットの少なくとも１台から運転許可要求があったときであって、運転許可要求があった前記給湯ユニットを追加運転すると前記熱源ユニットの容量を超えてしまうとき、
前記熱源ユニットの運転容量許容内に入るまで、所定の条件を満たした運転中の前記室内ユニットを停止させ、追加要求のあった前記給湯ユニットに前記熱源ユニットの能力を分配する
空調給湯複合システム。
【請求項２】
前記冷媒−水熱交換器の入口水温と出口水温との温度差が所定値よりも小さくなった場合に、要求されている負荷に対して供給できる能力が小さいと判断し、
前記熱源ユニットの運転容量許容内に入るまで、所定の条件を満たした運転中の前記室内ユニットを停止させ、追加要求のあった前記給湯ユニットに前記熱源ユニットの能力を分配する
請求項１に記載の空調給湯複合システム。
【請求項３】
運転中の前記室内ユニット及び前記給湯ユニットの少なくとも１台が停止した際に、運転許可要求があったにもかかわらず停止していた前記給湯ユニットに対し運転許可を与える
請求項１又は２に記載の空調給湯複合システム。
【請求項４】
停止している前記室内ユニットから運転許可要求があり、運転許可要求があった前記室内ユニットを追加運転すると前記熱源ユニットの容量を超えてしまうとき、
前記熱源ユニットの運転容量許容内に入るまで運転許可要求があった前記室内ユニットを停止させる
請求項３に記載の空調給湯複合システム。
【請求項５】
運転している前記室内ユニットのサーモ温度と設定温度との温度差を負荷として捉え、任意に設定した時間内において要求負荷の大きい前記室内ユニットを優先的に運転させる  請求項１〜４のいずれか一項に記載の空調給湯複合システム。
【請求項６】
前記熱源ユニットと前記給湯ユニットとの間に、高温出湯用の冷媒回路を接続することで２元サイクル構成とした
請求項１〜５のいずれか一項に記載の空調給湯複合システム。
【発明の詳細な説明】
【技術分野】
【０００１】
本発明は、ヒートポンプサイクルを搭載し、空調負荷及び給湯負荷を同時に提供することができる空調給湯複合システムに関するものである。
【背景技術】
【０００２】
従来から、ヒートポンプサイクルを搭載し、空調負荷及び給湯負荷を同時に提供することができる空調給湯複合システムが提案されている。そのようなものとして、コンプレッサー、室外熱交換器、絞り装置、室内熱交換器、及び、アキュームレーターを有する空調冷媒系統の凝縮器の一部に、コンプレッサー、水熱交換器、絞り装置、及び、冷媒−冷媒熱交換器を有した給湯冷媒系統をカスケード接続することにより冷房負荷、暖房負荷及び給湯負荷を同時に提供することができる空調給湯複合システムが存在する（たとえば、特許文献１参照）。
【先行技術文献】
【特許文献】
【０００３】
【特許文献１】ＷＯ２００９／０９８７５１号公報（第１頁、図１等）
【発明の概要】
【発明が解決しようとする課題】
【０００４】
特許文献１に記載されている空調給湯複合システムは、熱源ユニットに対し、給湯ユニット、室内ユニットを単一の冷媒系統にてマルチ接続して、空調負荷と給湯負荷の同時運転を可能としている。このようなビルマルチエアコンの考え方を踏襲した空調給湯複合システム構成の場合、室内負荷及び給湯負荷にて発生する最大負荷を基準にして室内ユニットの容量と給湯ユニットの容量を選定し、さらに室内ユニット容量と給湯ユニット容量の合計容量を満足する熱源ユニットを選定する。【０００５】
しかしながら、空調給湯複合システムは、設置される環境下や使用される空調給湯設備においては、季節によって使用される用途が異なる地域（たとえば、冬場は給湯による床暖やファンコイルによる暖房、夏場はエアコンによる空調が使用される場合）や、空調負荷及び給湯負荷ともに小さくなるような期間（たとえば、夏場と冬場の間の中間期）の負荷を鑑みると、熱源ユニットに要求される負荷に対して熱源ユニット容量が過大となり、設備投資費用が増大してしまうことがある。【０００６】
また、熱源ユニット容量の大型化による熱源ユニットの寸法の増大、負荷を満たすために複数冷媒系統を設置したことによる設置スペースの増大等の問題が生じてしまう。【０００７】
さらに、ユーザー側で室内ユニット及び給湯ユニットの発停または設定温度の変更にて簡易的に空調の省エネ制御を実施したい場合、たとえば室内ユニット及び給湯ユニットに対して、タイマスケジューラーを用いて発停による運転制御できる別売の高価な上位制御コントローラーを購入する必要があった。【０００８】
本発明は、上記のような課題を解決するためになされたもので、空調負荷、給湯負荷の使用環境下の制約のもとで熱源ユニットの許容容量以上に室内ユニット及び給湯ユニットを接続可能とするとともに、簡易的な省エネ制御の機能を加えることで、低コストかつ省スペースな空調給湯システムを提供することを目的としている。
【課題を解決するための手段】
【０００９】
本発明に係る空調給湯複合システムは、圧縮機及び熱交換器が搭載された少なくとも１台の熱源ユニットと、室内側熱交換器及び室内側絞り装置が搭載された少なくとも１台の室内ユニットと、冷媒−水熱交換器及び給湯側絞り装置が搭載された少なくとも１台の給湯ユニットと、前記室内ユニットと前記給湯ユニットとを前記熱源ユニットに対して並列接続させる分岐ユニットと、を備え、少なくとも１台の前記室内ユニットと少なくとも１台の前記給湯ユニットが運転している状態において前記給湯ユニットの少なくとも１台から運転許可要求があったときであって、運転許可要求があった前記給湯ユニットを追加運転すると前記熱源ユニットの容量を超えてしまうとき、前記熱源ユニットの運転容量許容内に入るまで、所定の条件を満たした運転中の前記室内ユニットを停止させ、追加要求のあった前記給湯ユニットに前記熱源ユニットの能力を分配するものである。
【発明の効果】
【００１０】
本発明に係る空調給湯複合システムによれば、空調負荷、給湯負荷の使用環境下の制約のもとで熱源ユニットの許容容量以上に室内ユニット及び給湯ユニットを接続可能とするとともに、簡易的な省エネ制御の機能を加えることで、低コストかつ省スペースなものになる。
【図面の簡単な説明】
【００１１】
【図１】本発明の実施の形態に係る空調給湯複合システムの冷媒回路構成を概略的に示す回路図である。
【図２】本発明の実施の形態に係る空調給湯複合システムの電気的な構成を示す制御ブロック図である。
【図３】室内ユニットの運転追加時における運転容量制約処理の流れを示すフローチャートである。
【図４】給湯ユニットの運転追加時における運転容量制約処理の流れを示すフローチャートである。
【図５】ユニットの運転停止時における運転容量制約処理の流れを示すフローチャートである。
【発明を実施するための形態】
【００１２】
以下、図面に基づいて本発明の実施の形態について説明する。
図１は、本発明の実施の形態に係る空調給湯複合システム１００の冷媒回路構成を概略的に示す回路図である。図１に基づいて、空調給湯複合システム１００の構成について説明する。なお、図１を含め、以下の図面では各構成部材の大きさの関係が実際のものとは異なる場合がある。
【００１３】
空調給湯複合システム１００は、ビルやマンション、ホテル等に設置され、冷媒を循環させる冷凍サイクル（ヒートポンプ）を利用することで冷房負荷、暖房負荷及び給湯負荷を同時に供給できるものである。空調給湯複合システム１００は、熱源ユニット１１０と、分岐ユニット１２０と、室内ユニット１３０と、給湯ユニット１４０と、が接続されて構成されている。このうち室内ユニット１３０と給湯ユニット１４０は、熱源ユニット１１０に対して並列に接続されている。
【００１４】
熱源ユニット１１０と分岐ユニット１２０は、２本の冷媒配管（高圧主管１５１、低圧主管１５２）で接続されている。分岐ユニット１２０と室内ユニット１３０は、２本の冷媒配管（液冷媒配管１５３、ガス冷媒配管１５４）で接続されている。分岐ユニット１２０と給湯ユニット１４０も、２本の冷媒配管（液冷媒配管１５３、ガス冷媒配管１５４）で接続されている。熱源ユニット１１０は、分岐ユニット１２０を経由して室内ユニット１３０及び給湯ユニット１４０へ連絡するようになっている。さらに、給湯ユニット１４０には水回路１５５が接続され、水が供給されるようになっている。水回路１５５には、水配管が接続されている。
【００１５】
なお、図１には、２台の室内ユニット１３０が接続されている場合を例に示しており、それらを区別するために添え字「ａ」、「ｂ」を符号に付している。また、室内ユニット１３０ａに対応する部品にも添え字「ａ」をそれぞれの符号に付し、室内ユニット１３０ｂに対応する部品にも添え字「ｂ」をそれぞれの符号に付している。さらに、室内ユニット１３０と区別するために、給湯ユニット１４０に対応する部品には添え字「ｃ」をそれぞれの符号に付している。そして、特に断りがないときは、「ａ」、「ｂ」及び「ｃ」の全部を称しているものとする。
【００１６】
また、液冷媒配管１５３は、分岐ユニット１２０に接続されている室内ユニット１３０の台数、給湯ユニット１４０の台数に対応して分岐（ここでは３分岐）されている。この分岐された液冷媒配管１５３を、液枝管１５３ａ、液枝管１５３ｂ、液枝管１５３ｃと称している。同様に、ガス冷媒配管１５４も、分岐ユニット１２０に接続されている室内ユニット１３０の台数、給湯ユニット１４０の台数に対応して分岐（ここでは３分岐）されている。この分岐されたガス冷媒配管１５４を、ガス枝管１５４ａ、ガス枝管１５４ｂ、ガス枝管１５４ｃと称している。液枝管１５３ａ及びガス枝管１５４ａは室内ユニット１３０ａに、液枝管１５３ｂ及びガス枝管１５４ｂは室内ユニット１３０ｂに、液枝管１５３ｃ及びガス枝管１５４ｃは給湯ユニット１４０に、それぞれ接続されている。
【００１７】
［熱源ユニット１１０］
熱源ユニット１１０は、分岐ユニット１２０を介して、室内ユニット１３０、給湯ユニット１４０に温熱又は冷熱を供給する機能を有している。この熱源ユニット１１０は、主に圧縮機１１１、切替弁１１２、熱交換器１１４、アキュームレーター（液溜め容器）１１６で構成され、図１に示す回路はこれらを順次直列に接続して構成している。熱源ユニット１１０の用途により、ユニット内部で使用される冷媒回路部品の選定及び冷媒回路を構成すればよい。
【００１８】
圧縮機１１１は、冷媒を吸入し、その冷媒を圧縮して高温・高圧の状態にするものであればよく、特にタイプを限定するものではない。たとえば、レシプロ、ロータリー、スクロールあるいはスクリューなどの各種タイプを利用して圧縮機１１１を構成することができる。この圧縮機１１１は、インバーターにより回転数が可変に制御可能なタイプのもので構成するとよい。
【００１９】
切替弁１１２は、たとえば四方弁等で構成され、要求される運転モードに応じて冷媒の流れを切り替えるものである。熱交換器１１４は、主に熱源（たとえば、空気や水、ブライン等）から熱を放熱または吸熱する役割を持つ。熱交換器１１４の種類は、使用される熱源に応じて選定すればよく、空気が熱源の場合であれば空気式熱交換器、水またはブラインが熱源の場合であれば水熱交換器で構成すればよい。図１に例示するように、熱交換器１１４が空気式熱交換器である場合には、熱交換器１１４の周辺に送風機１１５を設けるとよい。アキュームレーター１１６は、過剰な冷媒を貯留できるものであればよい。
【００２０】
また、熱源ユニット１１０には、４つの逆止弁１１３（逆止弁１１３ａ〜逆止弁１１３ｄ） が設けられている。逆止弁１１３ａは、切替弁１１２と分岐ユニット１２０との間における低圧主管１５２に設けられ、分岐ユニット１２０から熱源ユニット１１０への方向のみに冷媒の流れを許容するようになっている。逆止弁１１３ｄは、熱交換器１１４と分岐ユニット１２０との間における高圧主管１５１に設けられ、熱源ユニット１１０から分岐ユニット１２０への方向のみに冷媒の流れを許容するようになっている。
【００２１】
高圧主管１５１と低圧主管１５２とは、逆止弁１１３ｄの上流側と逆止弁１１３ａの上流側を接続する第１接続配管１０と、逆止弁１１３ｄの下流側と逆止弁１１３ａの下流側を接続する第２接続配管１１と、で接続されている。そして、第１接続配管１０には、低圧主管１５２から高圧主管１５１の方向のみに冷媒の流通を許容する逆止弁１１３ｂが設けられている。第２接続配管１１には、低圧主管１５２から高圧主管１５１の方向のみに冷媒の流通を許容する逆止弁１１３ｃが設けられている。
【００２２】
第１接続配管１０、第２接続配管１１、逆止弁１１３ａ、逆止弁１１３ｂ、逆止弁１１３ｃ、及び、逆止弁１１３ｄを設けることで、室内ユニット１３０の要求する運転に関わらず、分岐ユニット１２０に流入させる冷媒の流れを一定方向にすることができる。なお、これらは、必須のものではない。
【００２３】
［分岐ユニット１２０］
分岐ユニット１２０は、熱源ユニット１１０から供給された温熱または冷熱を、室内ユニット１３０、給湯ユニット１４０に供給する機能を有している。分岐ユニット１２０は、主に気液分離器１２１、流路切替弁１２４、絞り装置１２２、絞り装置１２３で構成されている。なお、流路切替弁１２４は、分岐ユニット１２０に接続されている室内ユニット１３０の台数、及び、分岐ユニット１２０に接続されている給湯ユニット１４０の台数に対応した個数（ここでは３個）が設けられている。
【００２４】
流路切替弁１２４は、室内ユニット１３０及び給湯ユニット１４０に供給する冷媒の流れを切り替えるものである。この流路切替弁１２４によって、冷媒流路を切り替えることで、分岐ユニット１２０に接続されている各々の負荷側ユニット（室内ユニット１３０および給湯ユニット１４０）が冷房（冷却）、暖房（給湯）を同時に実行することが可能である。流路切替弁１２４は、三方弁等で構成され、一方が低圧主管１５２に接続し、他方が気液分離器１２１に接続し、更にもう他方が室内ユニット１３０の室内側熱交換器１３２、給湯ユニット１４０の冷媒−水熱交換器１４２に接続するようになっている。
【００２５】
気液分離器１２１は、高圧主管１５１に接続されるとともに、室内ユニット１３０の流出入側のそれぞれに接続される。気液分離器１２１は、流入した冷媒をガス冷媒と液冷媒とに分離する機能を有している。気液分離器１２１は、熱源ユニット１１０と分岐ユニット１２０との間の冷媒配管が２管式である場合に搭載される。なお、図１では、１台の分岐ユニット１２０に対して複数の室内ユニット１３０と、１台の給湯ユニット１４０を接続した空調給湯複合システム１００を例に示しているが、たとえば熱源ユニット１１０と分岐ユニット１２０との間の冷媒配管が３管式である場合には、１台の負荷側ユニットに対して１台の分岐ユニット１２０を接続するような構成にしてもよい。
【００２６】
絞り装置１２２は、気液分離器１２１と室内側絞り装置１３１及び給湯側絞り装置１４１との間に設けられ、冷媒を減圧して膨張させるものである。絞り装置１２３は、低圧主管１５２と、絞り装置１２２と室内側絞り装置１３１及び給湯側絞り装置１４１との間における配管と、を接続した接続配管に設けられ、冷媒を減圧して膨張させるものである。絞り装置１２２及び絞り装置１２３は、開度が可変に制御可能なもの、たとえば電子式膨張弁による緻密な流量制御手段や、毛細管等の安価な冷媒流量調節手段等で構成するとよい。
【００２７】
［室内ユニット１３０］
室内ユニット１３０は、熱源ユニット１１０からの温熱または冷熱の供給を受けて暖房負荷または冷媒負荷を担当する機能を有している。室内ユニット１３０は、主に室内側絞り装置１３１、室内側熱交換器（負荷側熱交換器）１３２で構成されており、これらが直列に接続されて搭載されている。なお、図１では、室内ユニット１３０ａと室内ユニット１３０ｂの２台が並列に接続されている状態を例に示しているが、台数を特に限定するものではなく、３台以上の室内ユニット１３０を同様に接続するようにしてもよい。また、室内ユニット１３０には、室内側熱交換器１３２に空気を供給するためのファン等の室内側送風機１３３を室内側熱交換器１３２の近傍に設けるとよい。
【００２８】
室内側絞り装置１３１は、減圧弁や膨張弁としての機能を有し、冷媒を減圧して膨張させるものである。この室内側絞り装置１３１は、開度が可変に制御可能なもの、たとえば電子式膨張弁による緻密な流量制御手段や、毛細管等の安価な冷媒流量調整手段等で構成するとよい。室内側熱交換器１３２は、暖房サイクル時には放熱器（凝縮器）、冷房サイクル時には蒸発器として機能し、室内側送風機１３３から供給される空気と冷媒との間で熱交換を行い、冷媒を凝縮液化または蒸発ガス化するものである。
【００２９】
また、室内ユニット１３０には、温度検知素子１３４が設けられている。この温度検知素子１３４は、設置場所の負荷検知を行うものであり、たとえばサーミスタ等で構成されている。なお、温度検知素子１３４の設置場所や種類を、特に限定するものではないため、室内ユニット１３０の特性や、検知させたい負荷に応じて設置場所や種類を選定すればよい。
【００３０】
［給湯ユニット１４０］
給湯ユニット１４０は、熱源ユニット１１０からの温熱又は冷熱を冷媒−水熱交換器１４２を介して水回路に供給する機能を有している。給湯ユニット１４０は、主に給湯側絞り装置１４１、冷媒−水熱交換器１４２で構成されており、これらが直列に接続されて搭載されている。なお、図１では、１台の給湯ユニット１４０が接続されている状態を例に示しているが、台数を特に限定するものではない。また、給湯側絞り装置１４１は、室内側絞り装置１３１と同じ機能を有している。さらに、高温出湯が要求される場合においては、熱源ユニット１１０と給湯ユニット１４０との間に、独立した冷媒回路（少なくとも冷媒−冷媒熱交換器、圧縮機、冷媒−水熱交換器１４２、膨張弁を配管接続させた冷媒回路）を設けて、２元サイクルを構成してもよい。
【００３１】
この場合、冷媒−冷媒熱交換器から空調給湯複合システム１００の熱を授受し、冷媒−水熱交換器１４２を介して高温出湯用の高温水を生成するとよい。このように、２元サイクルを給湯で用いるようにすれば、前述した冷媒−冷媒熱交換器から空調給湯複合システム１００の熱を授受し、高温側へ熱を搬送することで、空調給湯複合システム１００の冷媒温度では出湯不可能な高水温が出湯可能となる。
【００３２】
冷媒−水熱交換器１４２は、水回路１５５を流れる水と、冷媒配管を流れる冷媒との間で熱交換を行なうものである。そして、冷媒−水熱交換器１４２で加熱又は冷却された水が、給湯利用又は冷水利用されるようになっている。水回路１５５は、水回路１５５内を水を循環させるポンプ（図示省略）、冷媒−水熱交換器１４２で加熱又は冷却された水を貯える貯湯タンク等によって構成されている。つまり、水回路１５５は、冷媒−水熱交換器１４２で加熱又は冷却された水を循環させることで成立している。
【００３３】
また、給湯ユニット１４０には、温度検知素子１４３、温度検知素子１４４が設けられている。温度検知素子１４３、温度検知素子１４４は、設置場所の負荷検知を行うものであり、たとえばサーミスタ等で構成されている。なお、温度検知素子１４３、温度検知素子１４４の設置場所や種類を、特に限定するものではないため、室内ユニット１３０の特性や、検知させたい負荷に応じて設置場所や種類を選定すればよい。なお、水回路１５５に接続されている水配管は、銅管やステンレス管、鋼管、塩化ビニル系配管などによって構成するとよい。また、水回路１５５を循環させる熱媒体として水を例に説明しているが、水に限らず、不凍液（ブライン）等を循環させるようにしてもよい。
【００３４】
以上のように、空調給湯複合システム１００は、熱源ユニット１１０を分岐ユニット１２０を介して室内ユニット１３０及び給湯ユニット１４０に接続したシステム構成となっている。
【００３５】
なお、空調給湯複合システム１００には、空調給湯複合システム１００のシステム全体を統括制御する制御手段２００が設けられている。この制御手段２００は、圧縮機１１１の駆動周波数、送風機（送風機１１５、室内側送風機１３３）の回転数、切替弁１１２の切り替え、各絞り手段の開度、流路切替弁１２４の切り替え等を制御する。つまり、制御手段２００は、図示省略の各種検知素子での検出情報及びリモコンからの指示に基づいて、各アクチュエーター（圧縮機１１１、切替弁１１２、送風機１１５、室内側絞り装置１３１、給湯側絞り装置１４１等の駆動部品）を制御するようになっている。なお、制御手段２００については図２で詳細に説明する。
【００３６】
［その他対象システム構成］
図１では、空調給湯複合システム１００が、熱源ユニット１１０と室内ユニット１３０及び給湯ユニット１４０とを分岐ユニット１２０を介して２本の冷媒配管で接続した２管式の冷暖同時タイプである場合を例に挙げたが、これに限定するものではなく、３本の冷媒配管で接続した３管式の冷暖同時タイプ又は冷暖切替タイプで空調給湯複合システム１００を構成してもよい。
【００３７】
図２は、空調給湯複合システム１００の電気的な構成を示す制御ブロック図である。図２に基づいて、空調給湯複合システム１００に搭載されている制御手段２００について詳細に説明する。
【００３８】
上述したように、空調給湯複合システム１００は、制御手段２００を備えている。制御手段２００は、マイクロコンピューターやＤＳＰなどで構成されており、空調給湯複合システム１００のシステム全体を制御する機能を有している。この制御手段２００は、熱源ユニット制御手段２１０、分岐ユニット制御手段２２０、室内ユニット制御手段２３０、及び、給湯ユニット制御手段２４０を備えている。
【００３９】
各制御手段の割り振りについては、各々のユニットに対応する制御手段を与え、各々のユニットが独立して制御を行なう自立分散協調制御でもよく、どれか一つのユニットが全制御手段を有し、その制御手段を有したユニットが通信等を用いて他ユニットに制御指令を与えるようにしてもよい。たとえば、熱源ユニット１１０に熱源ユニット制御手段２１０を、分岐ユニット１２０に分岐ユニット制御手段２２０を、室内ユニット１３０に室内ユニット制御手段２３０を、給湯ユニット１４０に給湯ユニット制御手段２４０を、それぞれ備えるようにすれば、各々のユニットが独立して制御を行なうことができる。なお、各制御手段は、無線又は有線の通信手段で情報伝達が可能となっている。
【００４０】
熱源ユニット制御手段２１０は、熱源ユニット１１０における冷媒の圧力状態及び冷媒の温度状態を制御する機能を有している。熱源ユニット制御手段２１０は、熱源ユニット容量情報出力手段２１１、圧力センサ・温度センサ情報格納手段２１２、演算処理回路２１３、及び、アクチュエーター制御信号出力手段２１４を有している。具体的には、熱源ユニット制御手段２１０は、圧力センサ・温度センサで得た情報をデータとして圧力センサ・温度センサ情報格納手段２１２で格納し、格納された情報を基にして熱源ユニット１１０内部で演算処理を演算処理回路２１３で実施した後、アクチュエーター制御信号出力手段２１４から、圧縮機１１１の運転周波数を出力したり、送風機１１５のファン回転数を出力したり、切替弁１１２の切替を出力したりする機能を有している。
【００４１】
熱源ユニット容量情報出力手段２１１は、熱源ユニット１１０の容量に応じて分岐ユニット１２０に接続できる室内ユニット１３０及び給湯ユニット１４０の台数及び容量の最大値を規定しており、本情報を分岐ユニット１２０へ送信する機能を有している。
【００４２】
分岐ユニット制御手段２２０は、分岐ユニット１２０の流路切替弁１２４を動作させたり、分岐ユニット１２０自身の圧力センサ・温度センサの情報から、演算処理回路２２４において、膨張弁の開度を制御する等の機能を有している。また、分岐ユニット制御手段２２０は、熱源ユニット１１０から受けた接続容量及び運転容量の情報を基に、運転許可ユニット判断手段２２６にて、室内ユニット１３０及び給湯ユニット１４０の接続容量及び運転容量の制約を行う機能も有している。
【００４３】
室内ユニット制御手段２３０は、室内ユニット１３０の冷房運転時における過熱度、室内ユニット１３０の暖房運転時における過冷却度を制御する機能を有している。室内ユニット制御手段２３０は、具体的には、室内側熱交換器１３２の熱交換面積を変化させたり、室内側送風機１３３のファン回転数を制御したり、室内側絞り装置１３１の開度を制御したりする機能を有している。
【００４４】
給湯ユニット制御手段２４０は、給湯ユニット１４０の冷水運転時における過熱度、給湯ユニット１４０の給湯運転時における過冷却度を制御する機能を有している。給湯ユニット制御手段２４０は、具体的には、給湯側絞り装置１４１の開度を制御したり、図１には図示していないが、水流量の調整を行なうために給湯ユニット１４０内の水回路１５５に設置された三方弁またはポンプ等を制御したりする機能を有している。
【００４５】
また、図示していないが、空調給湯複合システム１００には、冷媒の吐出圧力を検知する圧力センサや冷媒の吸入圧力を検知する圧力センサ、冷媒の吐出温度を検知する温度センサ、空調冷媒の吸引温度を検知する温度センサ、熱交換器１１４に流出入する冷媒の温度を検知する温度センサ、熱源ユニット１１０に取り込まれる外気温を検知する温度センサ、室内側熱交換器１３２に流出入する冷媒の温度を検知する温度センサ、図示省略の貯湯タンク内に貯留される水の温度を検知する温度センサ等を設けておくとよい。これらの各種センサで検知された情報（温度情報や圧力情報等の計測情報）は、制御手段２００に送られ、各アクチュエーターの制御に利用されることになる。
【００４６】
次に、空調給湯複合システム１００の動作について説明する。
空調給湯複合システム１００が実行する運転モードには、運転している室内ユニット１３０の全部が冷房運転、給湯ユニット１４０が冷却運転を実行する冷房運転モード、運転している室内ユニット１３０の全部が暖房運転、給湯ユニット１４０が給湯運転を実行する暖房運転モード、暖房運転している室内ユニット１３０と冷房運転している室内ユニット１３０が混在し、給湯ユニット１４０で冷却運転又は給湯運転を実行し、冷房及び冷却負荷の方が大きい冷房主体運転モード、暖房運転している室内ユニット１３０と冷房運転している室内ユニット１３０が混在し、給湯ユニット１４０で冷却運転又は給湯運転を実行し、暖房及び給湯負荷の方が大きい暖房主体運転モードがある。
【００４７】
［冷房運転モード］
まず、運転している全部の室内ユニット１３０が冷房運転をしており、給湯ユニット１４０が冷却運転をしているときの冷房運転モード時における冷媒回路、及び、その運転内容を説明する。
【００４８】
熱源ユニット１１０において、低圧のガス冷媒は、圧縮機１１１へ吸入され、高温・高圧のガス冷媒となり、切替弁１１２を経て、熱交換器１１４へ流入する。熱交換器１１４に流入した高圧のガス冷媒は、熱交換器１１４に供給される空気と熱交換することにより凝縮して高圧の液冷媒となり、熱交換器１１４から流出する。熱交換器１１４から流出した高圧の液冷媒は、逆止弁１１３ｄを経て、高圧主管１５１へ流れ、熱源ユニット１１０から流出した後、分岐ユニット１２０に流入する。
【００４９】
分岐ユニット１２０において、高圧主管１５１から流れてきた高圧の液冷媒は、気液分離器１２１及び絞り装置１２２を経て、液冷媒配管１５３へ流れ、分岐ユニット１２０から流出する。分岐ユニット１２０から流出した冷媒は、室内ユニット１３０及び給湯ユニット１４０に流入する。室内ユニット１３０では、室内側絞り装置１３１にて、低圧の液とガスの二相冷媒、または、低圧の液冷媒となり、室内側熱交換器１３２へ流れる。室内側熱交換器１３２に流入した低圧二相冷媒または低圧液冷媒は、室内側熱交換器１３２にて蒸発し、低圧のガス冷媒となり、室内側熱交換器１３２から流出する。
【００５０】
また、給湯ユニット１４０では、給湯側絞り装置１４１にて、低圧の液とガスの二相冷媒、または、低圧の液冷媒となり、冷媒−水熱交換器１４２へ流れる。冷媒−水熱交換器１４２に流入した低圧二相冷媒または低圧液冷媒は、冷媒−水熱交換器１４２にて蒸発し、低圧のガス冷媒となり、冷媒−水熱交換器１４２から流出する。
【００５１】
室内側熱交換器１３２及び冷媒−水熱交換器１４２から流出した低圧ガス冷媒は、ガス冷媒配管１５４を流れて室内ユニット１３０から流出した後、分岐ユニット１２０に流入する。分岐ユニット１２０に流入した低圧のガス冷媒は、流路切替弁１２４（流路切替弁１２４ａ、流路切替弁１２４ｂ、流路切替弁１２４ｃ）を経て、合流されて低圧主管１５２に流れる。低圧主管１５２に流れた低圧のガス冷媒は、分岐ユニット１２０から流出した後、熱源ユニット１１０に流入する。熱源ユニット１１０に流入した低圧のガス冷媒は、逆止弁１１３ａ、切替弁１１２、アキュームレーター１１６を経て、再び圧縮機１１１へ吸入される。このように冷媒が流れる回路を冷房運転時の主回路とする。
【００５２】
［暖房運転モード］
次に、運転している全部の室内ユニット１３０が暖房運転をしており、給湯ユニット１４０が給湯運転をしているときの暖房運転モード時における冷媒回路、及び、その運転内容を説明する。
【００５３】
熱源ユニット１１０において、低圧のガス冷媒は、圧縮機１１１へ吸入され、高温・高圧のガス冷媒となり、切替弁１１２、逆止弁１１３ｃを経て、高圧主管１５１へ流れる。高圧主管１５１へ流れた冷媒は、熱源ユニット１１０から流出した後、分岐ユニット１２０に流入する。分岐ユニット１２０において、高圧主管１５１から流れてきた高圧のガス冷媒は、気液分離器１２１、流路切替弁１２４（流路切替弁１２４ａ、流路切替弁１２４ｂ、流路切替弁１２４ｃ）を経て、ガス冷媒配管１５４へ流れる。ガス冷媒配管１５４を流れる冷媒は、分岐ユニット１２０から流出した後、室内ユニット１３０及び給湯ユニット１４０に流入する。
【００５４】
室内ユニット１３０に流入した高圧のガス冷媒は、室内側熱交換器１３２に流入し、室内側熱交換器１３２にて凝縮され、高圧の液冷媒となって室内側熱交換器１３２から流出する。室内側熱交換器１３２から流出した高圧の液冷媒は、室内側絞り装置１３１にて、低圧の液とガスの二相冷媒、または、低圧の液冷媒となり、液冷媒配管１５３へ流れ、室内ユニット１３０から流出した後、分岐ユニット１２０に流入する。
【００５５】
また、給湯ユニット１４０に流入した高圧のガス冷媒は、冷媒−水熱交換器１４２に流入し、冷媒−水熱交換器１４２にて凝縮され、高圧の液冷媒となって冷媒−水熱交換器１４２から流出する。冷媒−水熱交換器１４２から流出した高圧の液冷媒は、給湯側絞り装置１４１にて、低圧の液とガスの二相冷媒、または、低圧の液冷媒となり、液冷媒配管１５３へ流れ、給湯ユニット１４０から流出した後、分岐ユニット１２０に流入する。
【００５６】
液冷媒配管１５３を流れる低圧の冷媒は、分岐ユニット１２０にて合流された後、絞り装置１２３を経て、低圧主管１５２へ流れる。低圧主管１５２から流れる低圧の冷媒は、分岐ユニット１２０から流出した後、熱源ユニット１１０に流入する。熱源ユニット１１０に流入した冷媒は、逆止弁１１３ｂ、熱交換器１１４、切替弁１１２、アキュームレーター１１６を経て、再び圧縮機１１１へ吸入される。このように冷媒が流れる回路を暖房運転時の主回路とする。
【００５７】
次に負荷側ユニットに蒸発器（冷房運転室内機）と凝縮器（暖房運転室内機、給湯機）が混在した運転について説明する。混在した運転としては冷房主体運転モードと暖房主体運転モードの２種類の運転モードが存在し、空調給湯複合システム１００の冷媒の凝縮温度と蒸発温度を熱源ユニット内で設定された目標値と比較することで、能力または効率が最も高くになるように運転モードを切換えるようになっている。以下にそれぞれの運転モードについて説明する。
【００５８】
［冷房主体運転モード］
次に、室内ユニット１３０が冷房暖房混在運転をしており、給湯ユニット１４０が給湯運転をしており、暖房負荷よりも冷房負荷の方が大きい冷房主体運転モード時における冷媒回路、及び、その運転内容を説明する。なお、ここでは、室内ユニット１３０が冷房運転、給湯ユニット１４０が給湯運転をしているときを例に冷房主体運転モードを説明する。
【００５９】
熱源ユニット１１０において、低圧のガス冷媒は、圧縮機１１１へ吸入され、高温・高圧のガス冷媒となり、切替弁１１２を経て、熱交換器１１４へ流入する。熱交換器１１４に流入した高圧のガス冷媒は、熱交換器１１４に供給される空気と熱交換することにより凝縮して高圧の液とガスの二相冷媒となり、熱交換器１１４から流出する。熱交換器１１４から流出した高圧の二相冷媒は、逆止弁１１３ｄを経て、高圧主管１５１へ流れ、熱源ユニット１１０から流出した後、分岐ユニット１２０に流入する。
【００６０】
分岐ユニット１２０において、高圧主管１５１から流れてきた高圧の二相冷媒は、気液分離器１２１にて高圧の飽和ガスと高圧の飽和液に分離される。気液分離器１２１で分離された高圧の飽和ガスは、流路切替弁１２４ｃを経て、ガス枝管１５４ｃへ流れる。ガス枝管１５４ｃから流れる高圧のガス冷媒は、分岐ユニット１２０から流出した後、給湯ユニット１４０に流入する。給湯ユニット１４０に流入した冷媒は、冷媒−水熱交換器１４２にて凝縮され、高圧の液冷媒となり、冷媒−水熱交換器１４２から流出する。冷媒−水熱交換器１４２から流出した高圧の液冷媒は、給湯側絞り装置１４１にて、中間圧の液とガスの二相冷媒、または、中間圧の液冷媒となり、液冷媒配管１５３へ流れ、給湯ユニット１４０から流出した後、冷房時に用いる冷媒として再利用される。
【００６１】
一方、気液分離器１２１で分離された高圧の飽和液は、絞り装置１２２を経て、給湯ユニット１４０から流れてきた冷媒と合流し、液冷媒配管１５３へ流れ、分岐ユニット１２０から流出する。分岐ユニット１２０から流出した冷媒は、室内ユニット１３０に流入する。室内ユニット１３０では、室内側絞り装置１３１にて、低圧の液とガスの二相冷媒、または、低圧の液冷媒となり、室内側熱交換器１３２へ流れる。室内側熱交換器１３２に流入した低圧二相冷媒または低圧液冷媒は、室内側熱交換器１３２にて蒸発し、低圧のガス冷媒となり、室内側熱交換器１３２から流出する。
【００６２】
室内側熱交換器１３２から流出した低圧ガス冷媒は、ガス枝管１５４ａ、ガス枝管１５４ｂを流れて室内ユニット１３０から流出した後、分岐ユニット１２０に流入する。
【００６３】
また、液管１５３の区間に溜まる液冷媒量が多くなると、液管の圧力が上昇し、暖房室内ユニットとの差圧が小さくなることから、暖房室内機に流れる冷媒循環量が少なくなり、暖房能力低下となる。そのため、液ラインに溜まった液を逃がすため、絞り装置１２３を適度に開くことで液ラインに溜まる液を低圧管１５２へ流すことで液ラインの圧力の調整をする。よって、分岐ユニット１２０から流出した冷媒は室内ユニット１３０から流入した低圧のガス冷媒と絞り装置１２３から流入した液冷媒が混合することで低圧の二相冷媒となる。分岐ユニット１２０に流入した低圧の二相冷媒は、流路切替弁１２４（流路切替弁１２４ａ、流路切替弁１２４ｂ）を経て、合流されて低圧主管１５２に流れる。低圧主管１５２に流れた低圧の二相冷媒は、分岐ユニット１２０から流出した後、熱源ユニット１１０に流入する。熱源ユニット１１０に流入した低圧の二相冷媒は、逆止弁１１３ａ、切替弁１１２、アキュームレーター１１６を経て、再び圧縮機１１１へ吸入される。このように冷媒が流れる回路を冷房主体運転時の主回路とする。
【００６４】
［暖房主体運転モード］
次に、室内ユニット１３０が冷房暖房混在運転をしており、給湯ユニット１４０が給湯運転をしており、冷房負荷よりも暖房負荷の方が大きい暖房主体運転モード時における冷媒回路、及び、その運転内容を説明する。なお、ここでは、室内ユニット１３０が冷房運転、給湯ユニット１４０が給湯運転をしているときを例に暖房主体運転モードを説明する。
【００６５】
熱源ユニット１１０において、低圧のガス冷媒は、圧縮機１１１へ吸入され、高温・高圧のガス冷媒となり、切替弁１１２、逆止弁１１３ｃを経て、高圧主管１５１へ流れる。高圧主管１５１へ流れた冷媒は、熱源ユニット１１０から流出した後、分岐ユニット１２０に流入する。分岐ユニット１２０において、高圧主管１５１から流れてきた高圧のガス冷媒は、気液分離器１２１、流路切替弁１２４ｃを経て、ガス枝管１５４ｃへ流れる。ガス枝管１５４ｃを流れる冷媒は、分岐ユニット１２０から流出した後、給湯ユニット１４０に流入する。
【００６６】
給湯ユニット１４０に流入した高圧のガス冷媒は、冷媒−水熱交換器１４２に流入し、冷媒−水熱交換器１４２にて凝縮され、高圧の液冷媒となって冷媒−水熱交換器１４２から流出する。冷媒−水熱交換器１４２から流出した高圧の液冷媒は、給湯側絞り装置１４１にて、中間圧の液とガスの二相冷媒、または、中間圧の液冷媒となり、液枝管１５３ｃへ流れ、給湯ユニット１４０から流出した後、分岐ユニット１２０に流入する。
【００６７】
分岐ユニット１２０に流入した中間圧の冷媒は、液枝管１５３ａ、液枝管１５３ｂへ流れる。この冷媒は、分岐ユニット１２０から流出した後、室内ユニット１３０ａ、室内ユニット１３０ｂに流入する。室内ユニット１３０ａ、室内ユニット１３０ｂに流入した冷媒は、室内側絞り装置１３１にて、低圧の液とガスの二相冷媒、または、低圧の液冷媒となり、室内側熱交換器１３２へ流入する。室内側熱交換器１３２に流入した低圧の液冷媒は、室内側熱交換器１３２にて蒸発し、低圧のガス冷媒となり、室内側熱交換器１３２から流出する。
【００６８】
また、液管１５３の区間に溜まる液冷媒量が多くなると、液管の圧力が上昇し、暖房室内ユニットとの差圧が小さくなることから、暖房室内機に流れる冷媒循環量が少なくなり、暖房能力低下となる。そのため、液ラインに溜まった液を逃がすため、絞り装置１２３を適度に開くことで液ラインに溜まる液を低圧管１５２へ流すことで液ラインの圧力の調整をする。よって、分岐ユニット１２０から流出した冷媒は室内ユニット１３０から流入した低圧のガス冷媒と絞り装置１２３から流入した液冷媒が混合することで低圧の二相冷媒となる。室内側熱交換器１３２から流出した冷媒は、ガス冷媒配管１５４へ流れる。ガス冷媒配管１５４から流れる低圧の二相冷媒は、室内ユニット１３０ａ、室内ユニット１３０ｂから流出した後、分岐ユニット１２０に流入する。分岐ユニット１２０に流入した低圧の二相冷媒は、流路切替弁１２４（流路切替弁１２４ａ、流路切替弁１２４ｂ）を経て、低圧主管１５２に流れる。低圧主管１５２に流れた低圧の二相冷媒は、分岐ユニット１２０から流出した後、熱源ユニット１１０に流入する。熱源ユニット１１０に流入した低圧のガス冷媒は、逆止弁１１３ｂ、熱交換器１１４、切替弁１１２、アキュームレーター１１６を経て、再び圧縮機１１１へ吸入される。このように冷媒が流れる回路を運転主体運転時における主回路とする。
【００６９】
［室内ユニット１３０から『運転許可要求』を受けた場合の処理］
図３は、室内ユニット１３０の運転追加時における運転容量制約処理の流れを示すフローチャートである。図３に基づいて、空調給湯複合システム１００が実行する室内ユニット１３０の運転追加時における運転容量制約処理の流れについて説明する。図３に示す処理３２０は、ステップＳ３２１〜ステップＳ３２６により実行される。
【００７０】
制御手段２００が室内ユニット１３０から『運転許可要求』を受信した際に運転容量制約処理を実行する（ステップＳ３１０）。制御手段２００は、室内ユニット１３０から『運転許可要求』を受信する処理をした場合、運転中の室内ユニット１３０の容量値（たとえば容量のコードＱｊ）の合算値ΣＱｊ＿ＩＤＵを算出する（ステップＳ３２１）。次に、制御手段２００は、給湯ユニット１４０の容量を示す値の合算値ΣＱｊ＿ＨＷＳを算出する（ステップＳ３２２）。それから、制御手段２００は、『運転許可要求』を出力している室内ユニット１３０の容量ΔＱｊを格納する（ステップＳ３２３）。
【００７１】
そして、制御手段２００は、合算値ΣＱｊ＿ＩＤＵと合算値ΣＱｊ＿ＨＷＳに対して、『運転許可要求』を出力している室内ユニット１３０の容量ΔＱｊが加算された場合、運転容量の最大値ΣＱｊ＿ｍａｘを超えているかどうかを判断する（ステップＳ３２４）。この判断は、図３のステップＳ３２４に示す数式（ΣＱｊ＿ＩＤＵ＋ΣＱｊ＿ＨＷＳ＋ΔＱｊ≦ΣＱｊ＿ｍａｘ）を用いて行うとよい。
【００７２】
制御手段２００は、ΣＱｊ＿ＩＤＵ＋ΣＱｊ＿ＨＷＳ＋ΔＱｊ≦ΣＱｊ＿ｍａｘであると判断すると（ステップＳ３２４；ＹＥＳ）、『運転許可要求』を出力している室内ユニット１３０に対し、『運転許可』を送信し、その室内ユニット１３０の運転を実施する（ステップＳ３２５）。一方、制御手段２００は、ΣＱｊ＿ＩＤＵ＋ΣＱｊ＿ＨＷＳ＋ΔＱｊ＞ΣＱｊ＿ｍａｘであると判断すると（ステップＳ３２４；Ｎｏ）、『運転許可要求』を出力している室内ユニット１３０に対し、『運転停止』を送信し、その室内ユニット１３０の運転を開始させない（ステップＳ３２６）。
【００７３】
［給湯ユニット１４０から『運転許可要求』を受けた場合の処理］
図４は、給湯ユニット１４０の運転追加時における運転容量制約処理の流れを示すフローチャートである。図４に基づいて、空調給湯複合システム１００が実行する給湯ユニット１４０の運転追加時における運転容量制約処理の流れについて説明する。図４に示すフローチャートは、室内ユニット１３０のうち少なくとも１台、給湯ユニット１４０のうち少なくとも１台が運転している状態において他の給湯ユニット１４０から追加要求があった場合の処理の流れを示している。なお、図４に示す処理４２０は、ステップＳ４２１〜ステップＳ４２７により実行される。また、図４に示す処理４２５は、ステップＳ４２５ａ〜ステップＳ４２５ｃにより実行される。
【００７４】
制御手段２００が給湯ユニット１４０から『運転許可要求』を受信した際に運転容量制約処理を実行する（ステップＳ４１０）。制御手段２００は、給湯ユニット１４０から『運転許可要求』を受信する処理をした場合、運転中（サーモＯＮ／ＯＦＦ含む）の給湯ユニット１４０の容量を示す値の合算値ΣＱｊ＿ＨＷＳを算出する（ステップＳ４２１）。次に、制御手段２００は、『運転許可要求』を出力している給湯ユニット１４０の容量ΔＱｊを格納する（ステップＳ４２２）。
【００７５】
そして、制御手段２００は、合算値ΣＱｊ＿ＨＷＳに対して、『運転許可要求』を出力している給湯ユニット１４０の容量ΔＱｊが加算された場合、運転容量の最大値ΣＱｊ＿ｍａｘを超えているかどうかを判断する（ステップＳ４２３）。この判断は、図４のステップＳ４２３に示す数式（ΣＱｊ＿ＨＷＳ＋ΔＱｊ≦ΣＱｊ＿ｍａｘ）を用いて行うとよい。
【００７６】
制御手段２００は、ΣＱｊ＿ＨＷＳ＋ΔＱｊ≦ΣＱｊ＿ｍａｘであると判断すると（ステップＳ４２３；ＹＥＳ）、運転中（サーモＯＮ／ＯＦＦ含む）の室内ユニット１３０の容量値の合算値ΣＱｊ＿ＩＤＵを計算する（ステップＳ４２４）。それから、制御手段２００は、室内ユニット１３０及び給湯ユニット１４０の負荷情報（サーモ温度（吸込温度）、設定温度、各室内ユニット１３０を識別するアドレス番号）をモニタする（ステップＳ４２５ａ）。そして、制御手段２００は、所定の条件（（１）「サーモ温度−設定温度」が最小）であること、（２）（１）の中でアドレスが最も若いこと）を全部満たした室内ユニット１３０に対して「運転禁止」を送信する（ステップＳ４２５ｂ）。
【００７７】
すなわち、少なくとも１台の室内ユニット１３０が運転している状態において、室内ユニット１３０内部のサーモ温度（吸込温度）と設定温度の温度差を負荷として捉え、運転している室内ユニット１３０の要求負荷の大きさを管理でき、任意に設定した時間内において要求負荷の大きい室内ユニット１３０から優先的に運転させることが可能になる。
【００７８】
その後で、制御手段２００は、運転中の室内ユニット１３０の容量値の合算値ΣＱｊ＿ＩＤＵを、合算値ΣＱｊ＿ＨＷＳ＋ΔＱｊに加算し、この値が運転容量の最大値ΣＱｊ＿ｍａｘを超えているかどうかを判断する（ステップＳ４２５ｃ）。この判断は、図４のステップＳ４２５ｃに示す数式（ΣＱｊ＿ＩＤＵ＋ΣＱｊ＿ＨＷＳ＋ΔＱｊ≦ΣＱｊ＿ｍａｘ）を用いて行うとよい。
【００７９】
制御手段２００は、ΣＱｊ＿ＩＤＵ＋ΣＱｊ＿ＨＷＳ＋ΔＱｊ≦ΣＱｊ＿ｍａｘであると判断すると（ステップＳ４２５ｃ；ＹＥＳ）、『運転許可要求』を出力している給湯ユニット１４０に対し、『運転許可』を送信し、その給湯ユニット１４０の運転を実施する（ステップＳ４２６）。一方、制御手段２００は、ΣＱｊ＿ＩＤＵ＋ΣＱｊ＿ＨＷＳ＋ΔＱｊ＞ΣＱｊ＿ｍａｘであると判断すると（ステップＳ４２５ｃ；Ｎｏ）、ステップＳ４２５ｂの処理に戻り、ΣＱｊ＿ＩＤＵ＋ΣＱｊ＿ＨＷＳ＋ΔＱｊ≦ΣＱｊ＿ｍａｘとなるまで繰り返す。
【００８０】
なお、制御手段２００は、ステップＳ４２３でΣＱｊ＿ＨＷＳ＋ΔＱｊ＞ΣＱｊ＿ｍａｘであると判断すると（ステップＳ４２３；Ｎｏ）、『運転許可要求』を出力している給湯ユニット１４０に対し、『運転停止』を送信し、その給湯ユニット１４０の運転を開始させない（ステップＳ４２７）。
【００８１】
［ユニット運転停止時における処理］
図５は、ユニットの運転停止時における運転容量制約処理の流れを示すフローチャートである。図５に基づいて、空調給湯複合システム１００が実行するユニットの運転停止時における運転容量制約処理の流れについて説明する。なお、ここでいうユニットとは、室内ユニット１３０、給湯ユニット１４０の双方を含んでいるものとする。
【００８２】
制御手段２００が室内ユニット１３０及び給湯ユニット１４０のうちの少なくとも１台から『運転停止』を受信する処理をした際に運転容量制約処理を実行する（ステップＳ５１０）。制御手段２００は、室内ユニット１３０及び給湯ユニット１４０のうちの少なくとも１台から『運転停止』を受信する処理をした場合、『運転停止』を出力したユニットを停止させ、『運転許可要求』を受信したが、ステップＳ３２６又はステップＳ４２７にて『運転停止』が送信されているユニットが存在しているかどうかの確認を実施する（ステップＳ５１１）。
【００８３】
制御手段２００は、『運転許可要求』を出力したが『運転停止』が送信されているユニットが存在していると判断すると（ステップＳ５１１；ユニット有）、そのユニットが室内ユニット１３０であるのか給湯ユニット１４０であるのかどうかを確認する（ステップＳ５１２）。そのユニットが室内ユニット１３０であると判断すると（ステップＳ５１２；室内ユニット）、制御手段２００は、図３に示す処理３２０を実行する。一方、そのユニットが給湯ユニット１４０であると判断すると（ステップＳ５１２；給湯ユニット）、制御手段２００は、図４に示す処理４２０を実行する。
【００８４】
一方、制御手段２００は、『運転許可要求』を出力したが『運転停止』が送信されているユニットが存在していないと判断すると（ステップＳ５１１；ユニット無）、制御処理を終了する（ステップＳ５２０）。
【００８５】
［給湯ユニット１４０の能力が不足している場合］
制御手段２００は、給湯ユニット１４０に関して、温度検知素子１４３（入口水温センサ）、温度検知素子１４４（出口水温センサ）から入口水温及び出口水温の情報を取得している。制御手段２００は、入口水温と出口水温との差温と定格の水温とを比較する。そして、制御手段２００は、入口水温と出口水温との差温が定格の水温よりも小さい場合には、能力不足、つまり要求されている負荷に対して供給能力が小さいと判断し、図４に示す処理４２５を実施する。こうすることで、室内ユニット１３０のサーモ温度と設定温度の差温がもっとも小さいものを１台停止し、給湯ユニット１４０へ能力を配分する処理を実施することが可能になる。
【００８６】
上記の処理を実施することで、空調給湯複合システム１００において給湯ユニット１４０優先の制御動作を組み込むことが可能になり、特定の室内ユニット１３０を運転させないようにして、冬場でのチラー主体の運転が実現できる。そのため、熱源ユニット１１０に対しより多くの室内ユニット１３０、給湯ユニット１４０を接続することが可能である。よって、空調給湯複合システムでは、空調、給湯負荷を満足しつつ、熱源ユニット１１０が接続、運転可能な容量以上の接続、運転が可能となる。また、空調給湯複合システム１００では、熱源ユニット１１０が接続、運転可能な容量以上の接続、運転が可能となるため、設備投資費用が低コストになるだけでなく、設置スペースの節約にも寄与できる。
【００８７】
また、図４に示す処理４２５を任意に設定した時間で逐次実施するとよい。こうすることで、『運転許可要求』を出力したが『運転停止』が送信されているユニットが存在している場合、室内ユニット１３０及び給湯ユニット１４０の負荷を確認し、運転する室内ユニット１３０及び給湯ユニット１４０を交代させることができ、運転最大容量ΣＱｊ＿ｍａｘの制約の中で室内ユニット１３０をローテーションさせながら運転させることができる。よって、空調給湯複合システム１００によれば、中間期等の負荷が小さい季節において、長時間で見た場合に見かけ上、熱源ユニット１１０の運転容量以上の室内ユニット１３０を運転させることが可能である。
【００８８】
ここで、空調給湯複合システム１００に使用可能な冷媒について説明する。空調給湯複合システム１００の冷凍サイクルに使用できる冷媒には、非共沸混合冷媒や擬似共沸混合冷媒、単一冷媒等がある。非共沸混合冷媒には、ＨＦＣ（ハイドロフルオロカーボン）冷媒であるＲ４０７Ｃ（Ｒ３２／Ｒ１２５／Ｒ１３４ａ）等がある。この非共沸混合冷媒は、沸点が異なる冷媒の混合物であるので、液相冷媒と気相冷媒との組成比率が異なるという特性を有している。擬似共沸混合冷媒には、ＨＦＣ冷媒であるＲ４１０Ａ（Ｒ３２／Ｒ１２５）やＲ４０４Ａ（Ｒ１２５／Ｒ１４３ａ／Ｒ１３４ａ）等がある。この擬似共沸混合冷媒は、非共沸混合冷媒と同様の特性の他、Ｒ２２の約１．６倍の動作圧力という特性を有している。
【００８９】
また、単一冷媒には、ＨＣＦＣ（ハイドロクロロフルオロカーボン）冷媒であるＲ２２やＨＦＣ冷媒であるＲ１３４ａ等がある。この単一冷媒は、混合物ではないので、取り扱いが容易であるという特性を有している。そのほか、自然冷媒である二酸化炭素やプロパン、イソブタン、アンモニア等を使用することもできる。なお、Ｒ２２はクロロジフルオロメタン、Ｒ３２はジフルオロメタン、Ｒ１２５はペンタフルオロメタンを、Ｒ１３４ａは１，１，１，２−テトラフルオロメタンを、Ｒ１４３ａは１，１，１−トリフルオロエタンをそれぞれ示している。したがって、空調給湯複合システム１００の用途や目的に応じた冷媒を使用するとよい。
【００９０】
以上のように、空調給湯複合システム１００によれば、空調、給湯負荷を満足しつつ、熱源ユニット１１０が接続、運転可能な容量以上の接続、運転が可能となり、さらに設備投資費用が低コストになり、設置スペースの節約に寄与することにもなる。
【符号の説明】
【００９１】
１０  第１接続配管、１１  第２接続配管、１００  空調給湯複合システム、１１０  熱源ユニット、１１１  圧縮機、１１２  切替弁、１１３  逆止弁、１１３ａ  逆止弁、１１３ｂ  逆止弁、１１３ｃ  逆止弁、１１３ｄ  逆止弁、１１４  熱交換器、１１５  送風機、１１６  アキュームレーター、１２０  分岐ユニット、１２１  気液分離器、１２２  絞り装置、１２３  絞り装置、１２４  流路切替弁、１２４ａ  流路切替弁、１２４ｂ  流路切替弁、１２４ｃ  流路切替弁、１３０  室内ユニット、１３０ａ  室内ユニット、１３０ｂ  室内ユニット、１３１  室内側絞り装置、１３１ａ  室内側絞り装置、１３１ｂ  室内側絞り装置、１３２  室内側熱交換器、１３２ａ  室内側熱交換器、１３２ｂ  室内側熱交換器、１３３  室内側送風機、１３３ａ  室内側送風機、１３３ｂ  室内側送風機、１３４  温度検知素子、１３４ａ  温度検知素子、１３４ｂ  温度検知素子、１４０  給湯ユニット、１４１  給湯側絞り装置、１４２  冷媒−水熱交換器、１４３  温度検知素子、１４４  温度検知素子、１５１  高圧主管、１５２  低圧主管、１５３  液冷媒配管、１５３ａ  液枝管、１５３ｂ  液枝管、１５３ｃ  液枝管、１５４  ガス冷媒配管、１５４ａ  ガス枝管、１５４ｂ  ガス枝管、１５４ｃ  ガス枝管、１５５  水回路、２００  制御手段、２１０  熱源ユニット制御手段、２１１  熱源ユニット容量情報出力手段、２１２  圧力センサ・温度センサ情報格納手段、２１３  演算処理回路、２１４  アクチュエーター制御信号出力手段、２２０  分岐ユニット制御手段、２２４  演算処理回路、２２６  運転許可ユニット判断手段、２３０  室内ユニット制御手段、２４０  給湯ユニット制御手段。
【図１】
2013046269.tif 000003
【図２】
2013046269.tif 000004
【図３】
2013046269.tif 000005
【図４】
2013046269.tif 000006
【図５】
2013046269.tif 000007
【国際調査報告】
2013046269.tif 000008
2013046269.tif 000009
2013046269.tif 000010
2013046269.tif 000011
2013046269.tif 000012